(57)【要約】【課題】外部に露出した端末露出部を有する高品質な本皮革調の内装部品が得られるようにする。【解決手段】芯材層２の表面側に表皮層３が設置されると共に、表皮層３が表皮材１１，１２を有している内装部品１の構造に関する。  上記表皮層３に、表皮材１１，１２の端末１３，１４を外部へ露出させるようにしている端末露出部１５，１６が設けられている。  そして、端末露出部１５，１６に沿って縫製線１９が設けられている。  更に、上記端末露出部１５，１６が、上記表皮層３の肉厚よりも厚くなっている。【選択図】図４
2017056833.tif 000002
【特許請求の範囲】
【請求項１】
芯材層の表面側に表皮層が設置されると共に、該表皮層が表皮材を有している内装部品構造において、
前記表皮層に、前記表皮材の端末を外部へ露出させるようにしている端末露出部が設けられていると共に、
該端末露出部に沿って縫製線が設けられており、
更に、前記端末露出部が、前記表皮層の肉厚よりも厚くなっていることを特徴とする内装部品構造。
【請求項２】
請求項１に記載の内装部品構造であって、
前記端末露出部は、上下に面を重ね合わせられている表皮材の二つの端末のうちの、上側の端末とされていると共に、
下側の端末と上側の端末との間に、上側の端末の厚みを増すためのスペーサ部材が介在されていることを特徴とする内装部品構造。
【請求項３】
請求項１に記載の内装部品構造であって、
前記端末露出部は、裏面どうしが合わせられて外方へ突出されている表皮材の二つの端末の間に設けられていると共に、
両端末の間に、突出されている部分の厚みを増すためのスペーサ部材が介在されていることを特徴とする内装部品構造。
【請求項４】
請求項１ないし請求項３のいずれか１項に記載の内装部品構造であって、
前記スペーサ部材が透明部材を有していると共に、
前記芯材層の部分に前記透明部材へ向けて光を発する光源が設けられていることを特徴とする内装部品構造。
【発明の詳細な説明】
【技術分野】
【０００１】
この発明は、内装部品構造に関するものである。
【背景技術】
【０００２】
自動車などの車両には、車室内の前部にインストルメントパネルなどの内装部品が設けられている。
【０００３】
そして、車両に使われるインストルメントパネルのような内装部品には、芯材の表面側に表皮材を取付けた二層以上の構造を有するものがある。
【０００４】
このような内装部品には、二枚の表皮材を縫製して繋ぎ合せたような皮革または皮革調のものを使用している場合がある。通常、縫製線を有する表皮材は、表皮材の端末が、裏面側へ折り込まれることで、外部からは見えないように隠されている。
【先行技術文献】
【特許文献】
【０００５】
【特許文献１】特開２００３−３３４８９５号公報
【発明の概要】
【発明が解決しようとする課題】
【０００６】
縫製線を有する表皮材は、本皮革仕上げや本皮革調仕上げを演出するためのものであるが、自動車用の内装部品では、表皮材に対する縫製加工がどれも同じようなものになっていて単調である。
【０００７】
これに対し、自動車用以外の本皮革を使用した様々な製品では、様々な種類の縫製加工が使われており、決して単一ではない。
【０００８】
例えば、ハンドメイドの高級バッグや靴などには、端末をわざと外部から見えるように露出させたものも存在している。
【０００９】
そこで、本発明は、上記した問題点を解決することを、主な目的としている。
【課題を解決するための手段】
【００１０】
上記課題を解決するために、本発明は、
芯材層の表面側に表皮層が設置されると共に、該表皮層が表皮材を有している内装部品構造において、
前記表皮層に、前記表皮材の端末を外部へ露出させるようにしている端末露出部が設けられていると共に、
該端末露出部に沿って縫製線が設けられており、
更に、前記端末露出部が、前記表皮層の肉厚よりも厚くなっていることを特徴とする。
【発明の効果】
【００１１】
本発明によれば、上記構成によって、外部に露出した端末露出部を有する高品質な本皮革調の内装部品を得ることができる。
【図面の簡単な説明】
【００１２】
【図１】本実施の形態にかかる内装部品構造の全体斜視図である。
【図２】図１の一般的な断面構造を示す図である。
【図３】図１のＡ部分の拡大図である。
【図４】図３のＡ−Ａ線に沿った断面図である。
【図５】図１のＢ部分の拡大図である。
【図６】図５のＢ−Ｂ線に沿った断面図である。
【図７】スペーサ部材として透明部材を備えた端末露出部を示す図６と同様の断面図である。
【図８】図７の透明部材に対する光源の取付け状態を示す部分斜視図である。
【発明を実施するための形態】
【００１３】
以下、本実施の形態を、図面を用いて詳細に説明する。
図１〜図８は、この実施の形態を説明するためのものである。
【実施例１】
【００１４】
＜構成＞以下、この実施例の構成について説明する。
【００１５】
自動車などの車両には、車室内の前部に、図１に示すような、インストルメントパネルなどの内装部品１が設けられている。そして、上記した内装部品１を、図２に示すように、芯材層２の表面側に表皮層３を取付けた二層以上の構造を有するものとする。
【００１６】
ここで、車両用の内装部品１には、インストルメントパネル以外にも、インストルメントパネルに取付けられるサブパネルや、グローブボックスや、コンソールなど、各種のものが存在する。芯材層２には、硬質樹脂製のものが使用される。表皮層３には、本皮革や軟質樹脂製のものが使用される。芯材層２と表皮層３との間には、クッション層４などを設けるようにしても良い。
【００１７】
以上のような基本的な構成に対し、この実施例では、以下のような構成を備えるようにしている。
【００１８】
（１）図３、図４、または、図５、図６（例えば、図３参照）に示すように、上記表皮層３に、表皮層３を構成する表皮材１１，１２の端末１３，１４（の少なくとも一方）を外部に露出させて成る端末露出部１５（図３、図４）、端末露出部１６（図５、図６）を設ける。
そして、この端末露出部１５，１６に沿って縫製線１９（糸取付部）を形成する。
更に、図４、図６に示すように、上記端末露出部１５，１６（の肉厚ｔ２）が、上記表皮層３の肉厚ｔ１よりも厚くなるようにする（ｔ１＜ｔ２）。
【００１９】
ここで、端末露出部１５，１６には、透明な天然ワックスや透明な合成樹脂などの保護層２０を塗布形成するようにしても良い。なお、端末露出部１５，１６の肉厚ｔ２は、表皮層３の肉厚ｔ１の数倍程度となるようにするのが好ましい。
【００２０】
（２）より具体的には、図３、図４に示すように、上記端末露出部１５が、上下に面を重ね合わせて縫製した表皮材１１，１２の二つの端末１３，１４のうちの、上側の端末１３とされる。
そして、下側の端末１４と上側の端末１３との間に、上側の端末１３の厚みを増すためのスペーサ部材２５が介在される。
【００２１】
ここで、上下は、内装部品１の面を基準にしている。この場合、端末露出部１５が設けられた内装部品１の面は、インストルメントパネルの上面とされている。下側の表皮材１２の端末１４は、上側の表皮材１１の端末１３の下側に隠される。スペーサ部材２５は、下側の表皮材１２や芯材層２との間の（厚み方向や面方向などに対する）位置決め部材の機能を有するものとして複数枚介在することができる。図では、スペーサ部材２５は、一枚〜二枚程度介在されているが、必要な場合には、それ以上の枚数を介在させるようにしても良い。スペーサ部材２５は、上側の表皮材１１の端末１３と共に、縫製線１９によって下側の表皮材１２に縫製されている。なお、クッション層４については、上側の表皮材１１と下側の表皮材１２とを重ねた時に厚くならないように、下側の表皮材１２の重なり部分のクッション層４の肉厚を端末１４へ向けて薄くなるように徐変させても良い（徐変部２６）。
【００２２】
（３）または、図５、図６に示すように、上記端末露出部１６が、裏面どうしを合わせて外方へ突出するように縫製された表皮材１１，１２の二つの端末１３，１４の間に形成される。
そして、両端末１３，１４の間に、突出した部分の厚みを増すためのスペーサ部材２５が介在される。
【００２３】
ここで、端末露出部１６は、例えば、インストルメントパネルの上面と手前面との境界部分などに形成される。スペーサ部材２５は、表皮材１１，１２の二つの端末１３，１４と共に、縫製線１９によって縫製されている。なお、クッション層４については、上側の表皮材１１の端末１３と下側の表皮材１２の端末１４との間の合わせ部分に相当する部分を一部除去しておくようにする。
【００２４】
（４）更に、図７、図８に示すように、上記スペーサ部材２５が透明部材３１で構成されるようにしても良い。
そして、上記芯材層２の部分に上記透明部材３１へ向けて光を発する光源３２を設ける。
【００２５】
ここで、スペーサ部材２５は、柔軟な樹脂製の透明部材３１などとすることができる。この場合、スペーサ部材２５は、縫製線１９に沿って延びる長尺材などとされる。更に、スペーサ部材２５の基部に中空の筒状部３５を設けることができる。そして、この筒状部３５に光ファイバーなどの導光体３６を挿入して、この導光体３６の端部にＬＥＤなどの光源３２を設置することもできる。
この際、透明部材３１や導光体３６などの透明部材を着色したり（有色透明）、蛍光顔料を含有させたりすることができる。
なお、図では、筒状部３５と導光体３６とを三角断面のものとしているが、これらは、丸断面のものなどとしても良い。また、図では、筒状部３５と導光体３６と光源３２とは、クッション層４を除去してできたスペースを利用して配置するようにしているが、筒状部３５と導光体３６と光源３２とは、芯材の裏面側などに配置するようにしても良い。更に、図４の端末露出部１５に対しても、透明部材３１や光源３２などを設置するようにしても良い。
その他の構成として、通気性を有する中空パイプ部材の内部に芳香剤や脱臭剤や虫除け剤などの拡散性薬剤を封入したパイプ状拡散部材を、導光体３６に替えてスペーサ部材２５の筒状部３５内へ挿入するようにしても良い。なお、中空パイプ部材を透明にしてその端部にＬＥＤなどの光源３２を設置することなどもできる。
【００２６】
＜作用効果＞この実施例によれば、以下のような作用効果を得ることができる。
【００２７】
車両に使われる内装部品１には、インストルメントパネルなどのように芯材層２の表面側に表皮層３を設けた二層以上の構造を有するものがある。
【００２８】
このような内装部品１には、二枚の表皮材１１，１２を縫製して繋ぎ合わせたような表皮層３を使用している場合がある。通常の場合、縫製線１９を有する表皮層３は、縫製線１９を形成した部分の表皮材１１，１２の端末１３，１４が裏面側へ折り込まれることで、端末１３，１４が外部から見えないように隠されている。
【００２９】
しかし、ハンドメイドの高級バッグや靴などには、端末をわざと外部から見えるように露出させたものも存在している。
【００３０】
（作用効果１）
そこで、この実施例では、表皮層３に、表皮材１１，１２の端末１３，１４を外部に露出させて成る端末露出部１５，１６を設けた。また、端末露出部１５，１６に沿って縫製線１９を形成した。更に、この端末露出部１５，１６を表皮層３の肉厚よりも厚く形成した（ｔ１＜ｔ２）。これにより、端末露出部１５，１６を強調して目立たせることができ、通常の縫製線１９を有する内装部品１と比べて、よりクラフトマンシップに溢れた高品質な本皮革調の内装部品１に仕上げることが可能となる。以って、内装部品１を、あたかもハンドメイドの高級品であるかのように演出することができる。
【００３１】
（作用効果２）
この際、端末露出部１５を、上下に面を重ね合わせて縫製した表皮材１１，１２の二つの端末１３，１４のうちの、上側の端末１３とした。そして、下側の端末１４と上側の端末１３との間に、上側の端末１３の厚みを増すためのスペーサ部材２５を介在させた。これにより、表面に大きな段差の付いた端末露出部１５を有する高品質な本皮革調の内装部品１を得ることができる。
【００３２】
（作用効果３）
または、端末露出部１６を、裏面どうしを合わせて外方へ突出するように縫製された表皮材１１，１２の二つの端末１３，１４の間に形成した。そして、両端末１３，１４の間に、厚みを増すためのスペーサ部材２５を介在した。これにより、外方へ突出する突起状の端末露出部１６を有する高品質な本皮革調の内装部品１を得ることができる。
【００３３】
（作用効果４）
上記において、スペーサ部材２５を透明部材３１にして、芯材層２の部分に光源３２を設けるようにしても良い。これにより、光源３２を点灯して、光源３２からの光を透明部材３１へ向けて発することで、端末露出部１６（または１５）を光らせたり、縫製線１９などのスティッチ部分の縫製孔をミシン目状にイルミネーション照明したりすることが可能となる。その結果、端末露出部１６や縫製線１９が加飾照明されるので、端末露出部１６や縫製線１９を照明によって華やかに演出することができる。なお、縫製線１９を構成する縫製糸を透明や蛍光色のものにすれば、縫製糸も照明することが可能となる。
この際、透明部材３１や導光体３６などの透明部材を着色したり（有色透明）、蛍光顔料を含有させたりすることによって、淡い光で発光させることが可能となる。
その他、通気性を有する中空パイプ部材の内部に芳香剤や脱臭剤や虫除け剤などの拡散性薬剤を封入したパイプ状拡散部材を、導光体３６に替えてスペーサ部材２５の筒状部３５内へ挿入することにより、長期間に亘って芳香剤や脱臭剤や虫除け剤などの拡散による効果を得ることができる。
【００３４】
以上、実施例を図面により詳述してきたが、実施例は例示にしか過ぎないものである。よって、本発明は、実施例の構成にのみ限定されるものではなく、要旨を逸脱しない範囲の設計の変更等があっても含まれることは勿論である。また、例えば、各実施例に複数の構成が含まれている場合には、特に記載がなくとも、これらの構成の可能な組合せが含まれることは勿論である。また、複数の実施例や変形例が開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００３５】
１    内装部品
２    芯材層
３    表皮層
１１  表皮材
１２  表皮材
１３  端末
１４  端末
１５  端末露出部
１６  端末露出部
１９  縫製線
２５  スペーサ部材
３１  透明部材
３２  光源
ｔ１  肉厚
ｔ２  肉厚
【図１】
2017056833.tif 000003
【図２】
2017056833.tif 000004
【図３】
2017056833.tif 000005
【図４】
2017056833.tif 000006
【図５】
2017056833.tif 000007
【図６】
2017056833.tif 000008
【図７】
2017056833.tif 000009
【図８】
2017056833.tif 000010